(57)【要約】【課題】  装置のサイズやヘッドコストを増大させることなく、往走査と復走査の色味の差を低減させる。【解決手段】  各色ノズル列が並列に配置された記録ヘッドを、記録媒体上で往復走査させて記録を行うインクジェット記録装置で使用される記録データを生成する際に、当該記録データの生成に用いる変換テーブルとして、複数種類の変換テーブルを記憶手段に格納しておき、１回の走査で記録する領域の画像データが色ムラの生じやすい画像データであるか否かを判定し（Ｓ６０２）、肯定の判定であれば、往走査データの生成に用いる変換テーブルと復走査データの生成に用いる変換テーブルを変更する（Ｓ６０３〜Ｓ６０５）。【選択図】  図６
2005342962.tif 000002
【特許請求の範囲】
【請求項１】
複数色のインク各々に対応した複数のノズル列が所定方向に配置された記録ヘッドを、前記所定方向に記録媒体上で往復走査させて記録を行うインクジェット記録装置において使用される記録データを生成する画像処理装置であって、
前記記録データの生成に用いる変換テーブルとして、少なくとも２種類の変換テーブルを格納する記憶手段と、
１回の走査で記録する領域の画像データに、走査方向が異なることによって前記変換テーブルを切り換える必要がある画素が所定数以上含まれるか否かを判定する判定手段と、
前記判定手段が肯定の判定を行った場合、走査方向に応じて前記２種類の変換テーブルを切り換える切り換え手段と、を備えることを特徴とする画像処理装置。
【請求項２】
前記判定手段は、１回の走査で記録する領域の画像データに、往方向走査で記録された場合と復方向走査で記録された場合に所定以上の色差が生じる画素が所定数以上含まれるか否かを判定することを特徴とする請求項１に記載の画像処理装置。
【請求項３】
前記判定手段は、１回の走査で記録する領域の画像データに、黒データ以外のデータを含む画素が所定数以上含まれるか否かを判定することを特徴とする請求項１に記載の画像処理装置。
【請求項４】
前記判定手段は、１回の走査で記録する領域の画像データに、所定量以上のインクで記録される画素が所定数以上含まれるか否かを判定することを特徴とする請求項１に記載の画像処理装置。
【請求項５】
前記変換テーブルは、ＲＧＢデータを使用するインクに対応したデータに変換する処理を行う変換テーブルことを特徴とする請求項１から４のいずれか１項に記載の画像処理装置。
【請求項６】
前記記憶手段には、前記少なくとも２種類の変換テーブルとして、第１および第２の変換テーブルが格納され、
（Ａ）前記判定手段が否定の判定を行った場合、前記走査方向が第１方向の場合も当該第１の方向とは反対の第２方向の場合も、前記第１の変換テーブルを用いて画像処理を行い、（Ｂ）前記判定手段が肯定の判定を行った場合、前記走査方向が前記第１方向の場合、前記第１の変換テーブルを用いて画像処理を行い、前記走査方向が前記第２方向の場合、前記第２の変換テーブルを用いて画像処理を行う画像処理手段をさらに備え、
前記画像処理手段は、前記切り換え手段により前記第１の変換テーブルと前記第２の変換テーブルを切り換えることより前記（Ｂ）の処理を実行することを特徴とする請求項１乃至６のいずれかに記載の画像処理装置。
【請求項７】
複数色のインク各々に対応した複数のノズル列が所定方向に配置された記録ヘッドを、前記所定方向に記録媒体上で往復走査させて記録を行うインクジェット記録装置において使用される記録データを生成する画像処理装置であって、
前記記録ヘッドの１回の走査で記録する領域が色ムラの生じやすい領域か否かを判定する判定手段と、
前記色ムラの生じやすい領域であると判定された場合、往方向走査時に使用される前記記録データの生成の際には第１の画像処理を実行し、復方向走査時に使用される前記記録データの生成の際には第２の画像処理を実行する画像処理手段とを備え、
所定のＲＧＢデータを、前記第１の画像処理を介して変換した記録データを記録した場合の色と、前記第２の画像処理を介して変換した記録データを記録した場合の色とは異なることを特徴とする画像処理装置。
【請求項８】
前記色ムラの生じやすい領域とは、（Ａ）往方向走査で記録された場合と復方向走査で記録された場合に所定以上の色差が生じる画素を所定数以上含む領域、（Ｂ）黒データ以外のデータを含む画素を所定数以上含む領域、（Ｃ）所定量以上のインクで記録される画素を所定数以上含む領域、のいずれか１つであることを特徴とする請求項７に記載の画像処理装置
【請求項９】
前記第１および第２の画像処理は、入力されたＲＧＢデータを記録装置で使用するインクに対応した色分解データに変換する処理、前記色分解データを量子化してデータ量を減らした多値データを生成する処理、前記多値データに対応するドット配置パターンを適応させて２値データを生成する処理の少なくとも１つであることを特徴とする請求項７または８に記載の画像処理装置。
【請求項１０】
複数色のインク各々に対応したノズル列が所定方向に配置された記録ヘッドを、前記所定方向に記録媒体上で往復走査させて記録を行うインクジェット記録装置で使用される記録データを生成する画像処理方法であって、
前記記録データの生成に用いる変換テーブルとして、往方向走査用及び復方向走査用の変換テーブルを記憶手段に格納する記憶工程と、
１回の走査で記録する領域の画像データに、走査方向が異なることによって前記変換テーブルを切り換える必要がある画素が所定数以上含まれるか否かを判定する判定工程と、
前記判定工程で肯定の判定を行った場合、走査方向に応じて前記変換テーブルを切り換える切り換え工程と、を備えることを特徴とする画像処理方法。
【請求項１１】
複数色のインク各々に対応したノズル列が所定方向に配置された記録ヘッドを、前記所定方向に記録媒体上で往復走査させて記録を行うインクジェット記録装置に接続されるコンピュータ装置にインストールされ、該記録装置で使用される記録データを生成するためのプログラムであって、
前記記録データの生成に用いる変換テーブルとして、往方向走査用及び復方向走査用の変換テーブルを記憶手段に格納する記憶工程と、
１回の走査で記録する領域の画像データに、走査方向が異なることによって前記変換テーブルを切り換える必要がある画素が所定数以上含まれるか否かを判定する判定工程と、
前記判定工程での判定に応じて前記変換テーブルを切り換える切り換え工程と、をコンピュータ装置に実行させることを特徴とするプログラム。
【発明の詳細な説明】
【技術分野】
【０００１】
本発明は、画像処理装置及び画像処理方法に関し、より詳細には、複数色のインク各々に対応した各色ノズル列が所定方向に配置された記録ヘッドを、前記所定方向方向に記録媒体上で往復走査させて記録を行うインクジェット記録装置において使用される記録データを生成する際の画像処理に関するものである。
【背景技術】
【０００２】
例えばワードプロセッサ、パーソナルコンピュータ、ファクシミリ等に於ける情報出力装置として、所望される文字や画像等の情報を用紙やフィルム等シート状の記録媒体に記録を行うプリンタが広く使用されている。
【０００３】
プリンタの記録方式としては様々な方式が知られているが、用紙等の記録媒体に非接触記録が可能である、カラー化が容易である、静粛性に富む、等の理由でインクジェット方式が近年特に注目されており、又その構成としては、所望される記録情報に応じてインクを吐出する記録ヘッドを用紙等の記録媒体の搬送方向と交差する方向に往復走査させながら記録を行なうシリアル記録方式が安価で小型化が容易などの点から一般的に広く用いられている。
【０００４】
このようなシリアル型のインクジェットプリンタでカラー記録を行なう際には、使用するインクの色数に相当する記録ヘッドをキャリッジに搭載し、各色記録ヘッドから吐出された複数のインク滴によって記録媒体上の画素を構成する。
【０００５】
複数の記録ヘッドが走査方向に並んでキャリッジに搭載された状態で往復両方向へ走査し、この往復両走査時に記録を行なうプリンタでは、往方向走査と復方向走査とでインクの重なり順が異なり、色味が異なってしまう場合が生じる。
【０００６】
この問題を解決するために、往復両方向で吐出されるインクの順番が同じになるように、同じ色に対して２つの記録ヘッドを対称的にキャリッジに備える方法が提案されている（例えば、特許文献１）。
【特許文献１】特開平０８−２９５０３４号公報
【発明の開示】
【発明が解決しようとする課題】
【０００７】
しかしながら、同じ色に対して２つの記録ヘッドを対称的にキャリッジに備えるようにすると、キャリッジが重くかつ大きくなり、装置のサイズやヘッドコストが増大し、走査の際の振動や騒音も大きくなってしまう。
【０００８】
本発明は以上のような状況に鑑みてなされたものであり、装置のサイズやヘッドコストを増大させることなく、往走査と復走査の色味の差を低減させる画像処理方法、画像処理装置を提供することを目的とする。
【課題を解決するための手段】
【０００９】
上記目的を達成する本発明の一態様としての画像処理装置は、複数色のインク各々に対応した複数のノズル列が所定方向に配置された記録ヘッドを、前記所定方向に記録媒体上で往復走査させて記録を行うインクジェット記録装置で使用される記録データを生成する画像処理装置であって、
前記記録データの生成に用いる変換テーブルとして、少なくとも２種類の変換テーブルを格納する記憶手段と、
１回の走査で記録する領域の画像データに、走査方向が異なることによって前記変換テーブルを切り換える必要がある画素が所定数以上含まれるか否かを判定する判定手段と、
前記判定手段が肯定の判定を行った場合、走査方向に応じて前記変換テーブルを切り換える切り換え手段と、を備えている。
【００１０】
この構成によれば、１回の走査で記録される領域の画像データに、走査方向が異なることによって変換テーブルを切り換える必要がある画素が所定数以上含まれるときにだけ、変換テーブルを切り換えるようにしている。
【００１１】
従って、装置のサイズやヘッドコストを増大させることなく、往走査で記録された場合と復走査で記録された場合の色味差を低減させることができる。
【００１２】
なお、変換テーブルを切り換える必要がある画素としては、往方向走査で記録された場合と復方向走査で記録された場合に所定以上の色差が生じる画素、あるいは黒以外の画素、あるいは所定量以上のインクで記録される画素のいずれかであることが好ましい。
【００１３】
走査方向によって切り換えられる変換テーブルは、ＲＧＢで表現されるデータから使用するインクのデータに変換するための変換テーブルであることが好ましい。
【００１４】
上記目的を達成する本発明の一態様としての画像処理装置は、複数色のインク各々に対応した複数のノズル列が所定方向に配置された記録ヘッドを、前記所定方向に記録媒体上で往復走査させて記録を行うインクジェット記録装置において使用される記録データを生成する画像処理装置であって、前記記録ヘッドの１回の走査で記録する領域が色ムラの生じやすい領域か否かを判定する判定手段と、前記色ムラの生じやすい領域であると判定された場合、往方向走査時に使用される前記記録データの生成の際には第１の画像処理を実行し、復方向走査時に使用される前記記録データの生成の際には第２の画像処理を実行する画像処理手段とを備え、所定のＲＧＢデータを、前記第１の画像処理を介して変換した記録データを記録した場合の色と、前記第２の画像処理を介して変換した記録データを記録した場合の色とは異なることを特徴とする。
【００１５】
ここで、前記色ムラの生じやすい領域とは、（Ａ）往方向走査で記録された場合と復方向走査で記録された場合に所定以上の色差が生じる画素を所定数以上含む領域、（Ｂ）黒データ以外のデータを含む画素を所定数以上含む領域、（Ｃ）所定量以上のインクで記録される画素を所定数以上含む領域、のいずれか１つであることが好ましい。
【００１６】
また、前記第１および第２の画像処理は、入力されたＲＧＢデータを記録装置で使用するインクに対応した色分解データに変換する処理、前記色分解データを量子化してデータ量を減らした多値データを生成する処理、前記多値データに対応するドット配置パターンを適応させて２値データを生成する処理の少なくとも１つであることが好ましい。
【００１７】
また、上記の目的は、上述の画像処理装置の各手段に対応した工程を有する画像処理方法、記録装置に接続されるコンピュータ装置にインストールされ、該画像処理方法をコンピュータ装置に実行させるプログラム、該プログラムを格納した記憶媒体によっても達成される。
【発明の効果】
【００１８】
本発明によれば、装置のサイズやコストを増大させることなく、往走査と復走査の色味差を低減することができる。
【発明を実施するための最良の形態】
【００１９】
以下に、添付図面を参照して、本発明の好適な実施の形態を例示的に詳しく説明する。ただし、以下の実施形態に記載されている構成要素はあくまで例示であり、本発明の範囲をそれらのみに限定する趣旨のものではない。
【００２０】
なお、この明細書において、「記録」（「プリント」という場合もある）とは、文字、図形等有意の情報を形成する場合のみならず、有意無意を問わず、また人間が視覚で知覚し得るように顕在化したものであるか否かを問わず、広く記録媒体上に画像、模様、パターン等を形成する、または媒体の加工を行う場合も表すものとする。
【００２１】
また、「記録媒体」とは、一般的な記録装置で用いられる紙のみならず、広く、布、プラスチック・フィルム、金属板、ガラス、セラミックス、木材、皮革等、インクを受容可能なものも表すものとする。
【００２２】
さらに、「インク」（「液体」と言う場合もある）とは、上記「記録（プリント）」の定義と同様広く解釈されるべきもので、記録媒体上に付与されることによって、画像、模様、パターン等の形成または記録媒体の加工、或いはインクの処理（例えば記録媒体に付与されるインク中の色剤の凝固または不溶化）に供され得る液体を表すものとする。
【００２３】
またさらに、「ノズル」とは、特にことわらない限り吐出口ないしこれに連通する液路およびインク吐出に利用されるエネルギーを発生する素子を総括して言うものとする。
【００２４】
＜概略ブロック図＞
図１は、本発明に係る記録システムの制御構成例を示す概略ブロック図である。図示したように本発明に係る記録システムは、インクジェット記録装置と、該記録装置に接続され記録すべきデータを送信するホスト機器とを含んでおり、ホスト機器には例えばデジタルカメラ等の外部機器が接続可能である。
【００２５】
インクジェット記録装置は、ＭＰＵ、ＲＯＭ、ＲＡＭなどで構成され記録装置全体を制御する主制御部１０１と、記録ヘッドに転送する前の記録データをラスタ形式で格納する記録バッファ１０２と、記録バッファに格納された記録データに従ってインクを選択的に吐出する記録ヘッド１０３と、キャリッジの駆動や記録媒体の給紙、排紙用のモータを制御するモータ制御部１０４と、ホスト機器との通信を行なうインタフェース（Ｉ／Ｆ）部１０５と、ホスト機器から受信した記録データを一時的に格納しておくデータバッファ１０６とを有している。また、１０７は主制御部１０１と各部を接続するシステムバスである。
【００２６】
一方、インクジェット記録装置に対して制御データや記録データを送信する、ＰＣ等のホスト機器は、ＭＰＵ、ＲＯＭ、ＲＡＭ等で構成され画像データの生成や主な演算を司る主制御部１０８と、インクジェット記録装置と通信を行なうインタフェース（Ｉ／Ｆ）部１０９と、メインのメモリ１１０と、接続された外部機器と通信する外部Ｉ／Ｆ部１１１と、主制御部１０８と各部を接続するシステムバス１１２とを有している。
【００２７】
インクジェット記録装置とホスト機器とのインタフェース、及びホスト機器と外部機器とのインタフェースは、有線、無線を問わず様々な仕様のものが使用できる。代表的な仕様としては、セントロニクスインタフェース、ＵＳＢ（１．０及び２．０）、ＩＥＥＥ１３９４、ＩｒＤＡ、Ｂｌｕｅｔｏｏｔｈ、有線及び無線の各種ＬＡＮ規格などがあり、使用形態や装置の構成に合わせて適切なものが適宜選択される。
【００２８】
ホスト機器に外部機器などから入力された画像データや、ホスト機器のアプリケーションで作成された画像データ、ネットワークを介してダウンロードされた各種変換テーブル（例えば、後段処理を行う変換テーブル）などは、メインメモリ１１０に格納される。画像データをインクジェット記録装置によって記録するようにアプリケーションで指示された場合、プリンタドライバが起動され、設定に従って、主制御部１０８がメインメモリ１１０に格納された画像データに対して、所定の画像処理を施して記録装置に送信する記録データを生成する。すなわち、本実施形態のホスト機器は、本発明に係る画像処理装置として動作する。
【００２９】
ホスト機器がメインメモリに格納する画像データは、液晶画面やＣＲＴ等の表示部に表示するのに適したＲＢＧの三原色を用いた加法混色のデータとなっている。一方、インクジェット記録装置は、ＣＭＹの三原色のインクを含む減法混色で記録媒体（記録紙）へ記録を行なう。そこで、画像処理装置では、ＲＧＢの画像データを、プリンタで使用されるＣＭＹの三原色を含むインクに対応した記録データに変換するための色変換処理を含む所定の画像処理を行う必要がある。さて、この所定の画像処理の一例としては、以下で詳述するように、ＲＧＢで表現される画像データを使用するインクの種類に対応させたデータ（色分解データともいう）へ変換する色変換処理（後段処理）や、この後段処理で得られた色分解データを量子化する誤差拡散処理等が含まれる。この記録データの生成処理は、メインメモリ１１０から所望の変換テーブル（例えば、後段処理を行う変換テーブル）を主制御部１０８のバッファメモリに読み出し、画像データをメインメモリ１１０から例えば１回の走査で記録するサイズ（１バンド）を単位として読み出してデータ変換処理を繰り返すことによって行なわれる。
【００３０】
なお、メインメモリ１１０に格納された画像データから記録装置に送信する記録データを生成する際に用いる変換テーブル（後段処理を行う変換テーブル）を変更する（切り換える）場合には、メインメモリ１１０にアクセスして変換テーブルを読み出す処理が必要となる。つまり、往復方向で変換テーブルの切り換えを行う場合、パス毎にメインメモリ１１０にアクセスして、変換テーブルを読み出す処理を行うのである。
【００３１】
＜インクジェット記録装置の説明＞
図７は、本発明に係るインクジェット記録装置の構成の概要を示す外観斜視図である。
【００３２】
図７に示すように、インクジェット記録装置（以下、単に記録装置ともいう）は、インクジェット方式に従ってインクを吐出して記録を行なう記録ヘッド３を搭載したキャリッジ２にキャリッジモータＭ１によって発生する駆動力を伝達機構４より伝え、キャリッジ２を矢印Ａ方向に往復移動させるとともに、例えば、記録紙などの記録媒体Ｐを給紙機構５を介して給紙し、記録位置まで搬送し、その記録位置において記録ヘッド３から記録媒体Ｐにインクを吐出することで記録を行なう。
【００３３】
また、記録ヘッド３の状態を良好に維持するためにキャリッジ２を回復装置１０の位置まで移動させ、間欠的に記録ヘッド３の吐出回復処理を行う。
【００３４】
記録装置のキャリッジ２には記録ヘッド３を搭載するのみならず、記録ヘッド３に供給するインクを貯留するインクカートリッジ６を装着する。インクカートリッジ６はキャリッジ２に対して着脱自在になっている。
【００３５】
図７に示した記録装置はカラー記録が可能であり、そのためにキャリッジ２にはマゼンタ（Ｍ）、シアン（Ｃ）、イエロ（Ｙ）、ブラック（Ｋ）のインクを夫々、収容した４つのインクカートリッジを搭載している。これら４つのインクカートリッジは夫々独立に着脱可能である。
【００３６】
さて、キャリッジ２と記録ヘッド３とは、両部材の接合面が適正に接触されて所要の電気的接続を達成維持できるようになっている。記録ヘッド３は、記録信号に応じてエネルギーを印加することにより、複数の吐出口からインクを選択的に吐出して記録する。特に、この実施形態の記録ヘッド３は、熱エネルギーを利用してインクを吐出するインクジェット方式を採用し、熱エネルギーを発生するために電気熱変換体を備え、その電気熱変換体に印加される電気エネルギーが熱エネルギーへと変換され、その熱エネルギーをインクに与えることにより生じる膜沸騰による気泡の成長、収縮によって生じる圧力変化を利用して、吐出口よりインクを吐出させる。この電気熱変換体は各吐出口のそれぞれに対応して設けられ、記録信号に応じて対応する電気熱変換体にパルス電圧を印加することによって対応する吐出口からインクを吐出する。
【００３７】
図７に示されているように、キャリッジ２はキャリッジモータＭ１の駆動力を伝達する伝達機構４の駆動ベルト７の一部に連結されており、ガイドシャフト１３に沿って矢印Ａ方向に摺動自在に案内支持されるようになっている。従って、キャリッジ２は、キャリッジモータＭ１の正転及び逆転によってガイドシャフト１３に沿って往復移動する。また、キャリッジ２の移動方向（矢印Ａ方向）に沿ってキャリッジ２の絶対位置を示すためのスケール８が備えられている。この実施形態では、スケール８は透明なＰＥＴフィルムに必要なピッチで黒色のバーを印刷したものを用いており、その一方はシャーシ９に固着され、他方は板バネ（不図示）で支持されている。
【００３８】
また、記録装置には、記録ヘッド３の吐出口（不図示）が形成された吐出口面に対向してプラテン（不図示）が設けられており、キャリッジモータＭ１の駆動力によって記録ヘッド３を搭載したキャリッジ２が往復移動されると同時に、記録ヘッド３に記録信号を与えてインクを吐出することによって、プラテン上に搬送された記録媒体Ｐの全幅にわたって記録が行われる。
【００３９】
さらに、図７において、１４は記録媒体Ｐを搬送するために搬送モータＭ２によって駆動される搬送ローラ、１５はバネ（不図示）により記録媒体Ｐを搬送ローラ１４に当接するピンチローラ、１６はピンチローラ１５を回転自在に支持するピンチローラホルダ、１７は搬送ローラ１４の一端に固着された搬送ローラギアである。そして、搬送ローラギア１７に中間ギア（不図示）を介して伝達された搬送モータＭ２の回転により、搬送ローラ１４が駆動される。
【００４０】
またさらに、２０は記録ヘッド３によって画像が形成された記録媒体Ｐを記録装置外ヘ排出するための排出ローラであり、搬送モータＭ２の回転が伝達されることで駆動されるようになっている。なお、排出ローラ２０は記録媒体Ｐをバネ（不図示）により圧接する拍車ローラ（不図示）により当接する。２２は拍車ローラを回転自在に支持する拍車ホルダである。
【００４１】
またさらに、記録装置には、図７に示されているように、記録ヘッド３を搭載するキャリッジ２の記録動作のための往復運動の範囲外（記録領域外）の所望位置（例えば、ホームポジションに対応する位置）に、記録ヘッド３の吐出不良を回復するための回復装置１０が配設されている。
【００４２】
回復装置１０は、記録ヘッド３の吐出口面をキャッピングするキャッピング機構１１と記録ヘッド３の吐出口面をクリーニングするワイピング機構１２を備えており、キャッピング機構１１による吐出口面のキャッピングに連動して回復装置内の吸引手段（吸引ポンプ等）により吐出口からインクを強制的に排出させ、それによって、記録ヘッド３のインク流路内の粘度の増したインクや気泡等を除去するなどの吐出回復処理を行う。
【００４３】
また、非記録動作時等には、記録ヘッド３の吐出口面をキャッピング機構１１によるキャッピングすることによって、記録ヘッド３を保護するとともにインクの蒸発や乾燥を防止することができる。一方、ワイピング機構１２はキャッピング機構１１の近傍に配され、記録ヘッド３の吐出口面に付着したインク滴を拭き取るようになっている。
【００４４】
これらキャッピング機構１１及びワイピング機構１２により、記録ヘッド３のインク吐出状態を正常に保つことが可能となっている。
【００４５】
＜画像処理の流れ＞
次に、本実施形態のインクジェット記録システム（インクジェット記録装置とホスト機器を含むシステム）における画像処理の流れについて図２を用いて説明する。なお、上述のように、ここで説明する画像処理の一部、詳しくは、ホスト機器で実行される画像処理は、ホスト機器で画像データの記録が指示されたときに、プリンタドライバが起動され、設定に従って主制御部１０８によって実行される。
【００４６】
図２は、本実施形態のインクジェット記録システムにおける画像データ変換処理の流れを示したブロック図である。本実施形態で適用するインクジェット記録装置は、シアン、マゼンタ、イエロー、ブラックの４色のインクを用いて記録を行うものであり、そのためにこれら４色のインクを吐出する記録ヘッドが用意されている。図２に示すように、ここに示す各処理は、記録装置とホスト機器としてのパーソナルコンピュータ（ＰＣ）によって構成されるものとする。
【００４７】
ホスト装置のオペレーティングシステムで動作するプログラムとしてアプリケーションやプリンタドライバがあり、アプリケーションＪ０００１は記録装置で記録される画像に対応した画像データを作成する処理を実行する。実際の記録時にはアプリケーションで作成された画像データがプリンタドライバに渡される。
【００４８】
本実施形態におけるプリンタドライバはその処理として、前段処理Ｊ０００２、後段処理Ｊ０００３、γ補正Ｊ０００４、多値量子化であるハーフトーニングＪ０００５、および記録データ作成Ｊ０００６を有するものとする。ここで、各処理を簡単に説明すると、前段処理Ｊ０００２は色域（Ｇａｍｕｔ）のマッピングを行う。例えば、ｓＲＧＢ規格の画像データであれば、ｓＲＧＢ規格の画像データＲ、Ｇ、Ｂによって再現される色域を、記録装置によって再現される色域内に写像するためのデータ変換を行う。具体的にはＲ、Ｇ、Ｂのそれぞれが８ｂｉｔで表現されたデータを３次元ルックアップテーブル（３ＤＬＵＴ）を用いることにより、記録装置で表現可能な色域に依存したＲ、Ｇ、Ｂの８ｂｉｔデータに変換する。
【００４９】
後段処理Ｊ０００３は、前段処理Ｊ０００２で得られた８ｂｉｔデータＲ、Ｇ、Ｂを、このＲＧＢデータが表す色を再現するインクの組み合わせに対応した色分解データ（ここでは、８ｂｉｔデータＣ、Ｍ、Ｙ、Ｋ）に変換する処理を行う。ここでは、ＲＧＢデータとインクに対応したＣＭＹＫデータとが１対１に対応付けられた変換テーブル（例えば、３次元ルックアップテーブル）を用いるにより、ＲＧＢデータをＣＭＹＫデータに変換する。詳しくは、３次元ルックアップテーブルにおいては、それぞれが８ｂｉｔ（０〜２５５）で表現されるＲ、Ｇ、Ｂの値と、それぞれが８ｂｉｔ（０〜２５５）で表現されるＣＭＹＫの値とが予め対応付けられており、
（Ｒ，Ｇ，Ｂ）＝（０〜２５５，０〜２５５，０〜２５５）から
（Ｃ，Ｍ，Ｙ，Ｋ）＝（０〜２５５，０〜２５５，０〜２５５，０〜２５５）
への変換が行われる。
【００５０】
例えば、
（Ｒ，Ｇ，Ｂ）＝（０，０，０）であれば、
（Ｃ，Ｍ，Ｙ，Ｋ）＝（０，０，０，２５５）に変換され、また、
（Ｒ，Ｇ，Ｂ）＝（２５５，２５５，２５５）であれば、
（Ｃ，Ｍ，Ｙ，Ｋ）＝（０，０，０，２５５）に変換され、また、
（Ｒ，Ｇ，Ｂ）＝（０，１２８，０）であれば、
（Ｃ，Ｍ，Ｙ，Ｋ）＝（０，１２８，１２８，０）に変換される。
なお、本実施形態では、このような変換テーブルが少なくとも２種類設けられており、後述する条件に応じて変換テーブルを切り換えている。
【００５１】
γ補正Ｊ０００４は、後段処理Ｊ０００３により得られた色分解データの各インク色データごとにその階調値変換を行う。具体的には、記録装置の各色インクの階調特性に応じた１次元ＬＵＴを用いることにより、上記色分解データが記録装置の階調特性に線形的に対応づけられるような変換を行う。
【００５２】
ハーフトーニングＪ０００５は、８ビットの色分解データＹ、Ｍ、Ｃ、Ｋそれぞれについて２ビットのデータに変換する量子化を行う。本実施形態では、多値の誤差拡散法を用いて２５６階調の８ビットデータを、３階調の２ビットデータに変換する。この２ビットデータは、記録装置で行われるドット配置パターン化処理における配置パターンを示すためのインデックスとなるデータである。
【００５３】
プリンタドライバで行う処理の最後には、記録データ作成処理Ｊ０００６によって、上記２ビットのインデックスデータを内容とする記録イメージデータに記録制御情報を加えた記録データを作成する。ホスト機器は、この記録データを記録装置へ送信する。
【００５４】
記録装置は、ホスト機器から送信された記録データに対し、ドット配置パターン化処理Ｊ０００７を行う。
【００５５】
ここで、ドット配置パターン化処理Ｊ０００７について説明する。上述したハーフトーン処理では、２５６値の多値濃度情報（８ビットデータ）を３値の階調値情報（２ビットデータ）までにレベル数を下げている。しかし、実際に本実施形態のインクジェット記録装置が記録できる情報は、インクを記録するか否かの２値情報である。ドット配置パターン化処理では、０〜２の３値レベルをドットの有無を決定する２値レベルまで低減する役割を果たす。具体的には、このドット配置パターン化処理Ｊ０００７では、ハーフトーン処理部からの出力値であるレベル０〜２の２ビットデータで表現される画素ごとに、その画素の階調値（レベル０〜２）に対応したドット配置パターンを割当て、これにより１画素内の複数のエリア各々にドットのオン・オフを定義し、１画素内の各エリアに「１」または「０」の１ビットの吐出データを配置する。
【００５６】
図８は、本実施形態のドット配置パターン化処理で変換する、入力レベル０〜２に対する出力パターンを示している。図の右に示した各レベル値は、ハーフトーン処理部からの出力値であるレベル０〜レベル２に相当している。左側に配列した縦２エリア×横１エリアで構成される領域は、ハーフトーン処理で出力された１画素（ピクセル）の領域に対応するもので、縦横ともに６００ｐｐｉ（ピクセル／インチ；参考値）の画素密度に対応する大きさとなっている。また、１画素内の各エリアは、ドットのオン・オフが定義される最小単位に相当するもので、縦が１２００ｄｐｉ（ドット／インチ；参考値）、横が６００ｄｐｉの記録密度に対応する。本実施形態の記録装置では、上記記録密度に対応した、縦が約２０μｍ、横が約４０μｍで表現される１つのエリアに対し、所定量のインク滴が１つ記録されて所望の濃度が得られる様に設計されている。図において、塗りつぶしたエリアがドットの記録を行うエリアを示しており、レベル数が上がるに従って、記録するドット数が１つずつ増加している。
【００５７】
入力レベル１の場合、パターンは２種類用意されている。すなわち、縦に２つ並ぶエリアのうち、上のエリアを記録するパターンと、下のエリアを記録するパターンである。このように、同値の濃度を表現できるパターンが複数存在する場合、固定されたパターンのみで濃度表現を行ってしまうと、画像上にテクスチャーや擬似輪郭が発生する場合がある。よって、本実施形態では、同値の濃度を表現する場合にも複数のパターンを混在して配列させる構成が採用されている。
【００５８】
再度図２を参照するに、ドット配置パターン化処理が施された各色の２値データは、次に駆動回路Ｊ０００９に入力すれる。駆動回路Ｊ０００９に入力された各色の１ｂｉｔデータは、記録ヘッドＪ００１０の駆動パルスに変換され、各色の記録ヘッドＪ００１０より所定のタイミングでインクが吐出される。
【００５９】
＜記録ヘッドの構成と記録走査による色味の差＞
図３は、本実施形態のインクジェット記録装置で使用される記録ヘッド３の各色ノズル列の配置を模式的に示す図である。この図では、記録ヘッド３を上方から見た場合のノズル列の配置を示している。
【００６０】
図中、３０１〜３０４はそれぞれ、インクを吐出するノズル列を示しており、３０１がブラックインク、３０２がシアンインク、３０３がマゼンタインク、３０４がイエローインクを吐出するノズル列をそれぞれ示している。図示した構成では、各ノズル列を構成するノズルの数は等しく、例えば２５６個のノズルを含んでいる。
【００６１】
なお、記録ヘッドのノズル列の配置は、図３に示した例に限定されず、並び順や各列に含まれるノズル数が異なるものなど様々な形態のものが使用可能である。また、図３の例では、各色のノズル列が１つのチップに一体形成された形態のヘッドであるが、各色ノズル列は別チップに別体形成された形態のヘッドであってもよい。また、４色（ＣＭＹＫ）のうちある１色（例えば、Ｋ）のノズル列と残り３色（例えば、ＣＭＹ）のノズル列とが別チップに形成された形態であってもよい。
【００６２】
図４は、１枚の記録媒体に記録を行なう際の記録ヘッドによる走査の例を示す図である。図示した例では、記録媒体Ｐは矢印Ｆ方向に搬送され、先端側からＳ１、Ｓ２、Ｓ３、Ｓ４でそれぞれ示す４回の走査（パス）で記録される。ここで、Ｓ１及びＳ３で示す走査は記録ヘッドが左から右へ移動する往方向走査であり、Ｓ２及びＳ４で示す走査では左から右へと記録ヘッドが移動する復方向走査である。
【００６３】
図３に示したようなノズル列を有する記録ヘッドを用いて、このような記録走査を行なうと、Ｓ１及びＳ３の走査では、イエロー、マゼンダ、シアン、ブラックの順にインク滴が吐出され、Ｓ２及びＳ４の走査では、ブラック、シアン、マゼンダ、イエローの順にインク滴が吐出されるので、走査方向によって記録媒体に吐出される（打ち込まれる）インクの順序が異なる。その為、複数色のインクで表現される画素については、各インクを同じ量だけ吐出したとしても、色味が異なってしまう。この色味の差（色差）が大きくなると色ムラと知覚される。
【００６４】
図５は、往方向走査と復方向走査での色再現範囲を示すグラフである。この図では、ＣＩＥ−Ｌ＊ａ＊ｂ＊空間上に示した色再現範囲をａｂ平面上に投影して示したものである。例えば５０１が往方向走査での記録により可能な色再現範囲であり、５０２が復方向走査での記録により可能な色再現範囲である。図５から明らかなように、走査方向によって色再現範囲が異なる。この色再現範囲の相違は、往復でインクの重なり順が異なることに起因する。
【００６５】
さて、上述したように往走査で記録される色と復走査で記録される色の色差（ΔＥ）が大きくなる場合、この色差が色ムラと知覚される。従って、このような場合には、この色差を低減させる画像処理を行う必要がある。そこで、本実施形態においては、色差が大きくなって色ムラとして知覚される可能性が高い場合には、使用する変換テーブル（具体的には、後段処理で用いる３次元ルックアップテーブル）を変更するようにしている。
なお、ＣＩＥ−Ｌ＊ａ＊ｂ＊空間で、２つの測色値（Ｌ１＊，ａ１＊，ｂ１＊）と（Ｌ２＊，ａ２＊，ｂ２＊）との間の色差ΔＥは、
ΔＥ＝{（ΔＬ＊）２＋（Δａ＊）２＋（Δｂ＊）２}１／２
で定められる。但し、
ΔＬ＊＝Ｌ１＊−Ｌ２＊
Δａ＊＝ａ１＊−ａ２＊
Δｂ＊＝ｂ１＊−ｂ２＊
である。
【００６６】
本実施形態では、２種類の変換テーブル（第１の変換テーブル、第２の変換テーブル）を設けており、色ムラが発生しずらい画像データの場合には第１の変換テーブルを使用する一方で、色ムラが発生しやすい画像データの場合には走査方向に応じて使用する変換テーブルを切り換えるようにしている。具体的には、往走査で使用するデータを作成する画像処理時には第１の変換テーブルを使用し、復走査で使用するデータを作成する画像処理時には第２の変換テーブルを使用するようにしている。
【００６７】
ここで、第１の変換テーブルは、画像データに関係なく、少なくとも往走査データを作成する際に使用される基本テーブルである。色ムラが発生しずらい画像データの場合には往復両走査データを作成するために使用され、また、色ムラが発生しやすい画像データの場合には往走査データのみを作成するために使用される。一方、第２の変換テーブルは色ムラが発生しやすい画像データの場合のときだけに使用される色差低減テーブルである。色ムラが発生しやすい画像データの場合において復走査データを作成するために使用される。
【００６８】
第２の変換テーブルは、往走査で記録される場合の色に近づくようにデータ変換がなされる構成となっている。つまり、第2のテーブルは第1のテーブル使用して往方向で記録を行った際に現れる色をターゲットとして作成されており、同じＲＧＢ値が入力された場合、復方向において第2のテーブルを用いて記録された色は、往方向において第1のテーブルを用いて記録された色になるべく近づく様に調整される。この結果、往復両走査のデータを第１の変換テーブルを用いて作成した場合よりも、往走査で第１の変換テーブルを用い且つ復走査で第２の変換テーブルを用いてデータを作成した場合の方が、往走査で記録された場合と復走査で記録された場合の色差が低減されることになる。
【００６９】
＜変換テーブルの切り換え処理＞
以下、図６に示すプリンタドライバによる記録データ生成処理のフローチャートを参照して、本実施形態における変換テーブルの切り換え処理について説明する。
【００７０】
まず、ステップＳ６０１で１回の走査（パス）で記録する画像データが入力される。つまり、１バンドに対応した画像データが入力されるのである。なお、上述したように画像データは８ｂｉｔのＲＧＢデータとなっている。次にステップＳ６０２にて、上記１バンドに対応した画像データが色ムラの発生しやすい画像データであるか否かを判定する。本実施形態では、色ムラの発生しやすい画像データであるか否かを判定するために、その画像データの中に特定の色の画素が所定数以上含まれているか否かのチェックを行なう。ここで、所定数は１以上の整数であればよいが、その最適値は、普通紙かコート紙か等のメディアの種類、はやい、標準、きれい等の記録モード、および染料か顔料か等のインク種別を考慮して決定される。
【００７１】
ここで、特定の色とは、往方向走査で記録される色と復方向走査で記録される色との差が所定の色差（例えば、ΔＥ＝２）以上の色である。例えば、往復両方向で記録される色差ΔＥが２以上となる色を予めデータベースに登録しておき、入力された画像データ内に含まれる各画素をデータベースと照合することによりステップＳ６０２のチェックを行なう。なお、このステップＳ６０２の段階では、上記１バンドに対応した画像データを構成する各画素に対応するデータはＲＧＢ値で表現されている。従って、色差ΔＥが２以上となる色に対応したＲＧＢ値を予め登録しておき、画素のＲＧＢ値が上記登録してあるＲＧＢ値と一致するか否かを検索することにより、色差ΔＥが２以上となる色か否かが決定されることになる。
【００７２】
ステップＳ６０２で特定の色の画素が所定数以上含まれていなければ、つまり、色ムラが発生しにくいバンドの場合には、走査方向に関わらず、第１の変換テーブルを読み出し、ステップＳ６０６へ進む。一方、ステップＳ６０２で特定の色の画素が所定数以上含まれていれば、つまり、色ムラが発生しやすいバンドの場合には、ステップＳ６０３に進み、走査方向が往方向であるか否かのチェックを行ない、往方向記録であればステップＳ６０４に進んで第１の変換テーブルを読み出す。一方、走査方向が復方向であればステップＳ６０５に進んで第２の変換テーブルを読み出す。
【００７３】
なお、本実施形態で走査方向によって切り換える変換テーブルは、図２の後段処理Ｊ０００３で使用する、ＲＧＢで表現されるデータからＣＭＹＫで表現されるデータへの色変換処理を行うための変換テーブルである。
【００７４】
その後、ステップＳ６０６にて、上記変換テーブルを用いて行う後段処理Ｊ０００３を含む画像処理（詳しくは、図２で説明した後段処理０００３、γ補正処理Ｊ０００４、ハーフトーン処理Ｊ０００５等）を経て記録データを生成し、ステップＳ６０７にて生成された記録データを記録装置に送信する。
【００７５】
ここで、ステップＳ６０６にて行われる後段処理Ｊ０００３について述べる。ステップＳ６０６の前にステップＳ６０４を経ている場合には第１の変換テーブルを用いたデータ処理がなされ、ステップＳ６０６の前にステップＳ６０５を経ている場合には第２の変換テーブルを用いたデータ処理がなされる。これにより、色ムラが発生しやすい場合であっても、往復走査での色ムラを低減することができる。一方、ステップＳ６０４やステップＳ６０５を経ずしてステップＳ６０２から直接ステップＳ６０６に至る場合、つまり、ステップＳ６０２において色ムラが発生しずらい画像データと判定された場合、走査方向に関わらず、第１の変換テーブルを用いたデータ処理がなされる。
【００７６】
そして、ステップＳ６０８にて全てのパスの記録データの処理が終了したか否かをチェックし、終了していなければステップＳ６０１に戻り、以降の処理を繰り返す。ステップＳ６０８で全てのパスの記録データの処理が終了したと判定された場合には処理を終了する。
【００７７】
以上説明したように、本実施形態によれば、所定以上の色差が生じる画素が所定数以上含まれるような色ムラが発生しやすい場合に、記録データの生成に使用する変換テーブルを走査方向に応じて切り換える。
【００７８】
このため、往復走査での色味差を低減することができる。
【００７９】
＜他の実施形態＞
上記の実施形態では、第１および第２の変換テーブルを設け、色ムラが目立ちやすい場合には走査方向に応じて２種類の変換テーブルを切り換える一方で、色ムラが目立ちにくい場合には走査方向に関わらず第１の変換テーブルを用いる構成であったが、変換テーブルの数は２種類に限られるものではない。例えば、３種類の変換テーブル（変換テーブルＡ〜Ｃ）を設けておき、色ムラが目立ちにくい場合には走査方向に関わらず基本テーブル（変換テーブルＡ）を使用し、色ムラが目立ちやすい場合には走査方向に応じて２種類の色差低減変換テーブル（変換テーブルＢ、Ｃ）を切り換える構成であってもよい。いずれにせよ、色ムラが目立ちやすい場合に、走査方向に応じた２種類の変換テーブルの切り換えが行われればよい。
【００８０】
また、上記の実施形態では、色差が所定以上となる特定の色の画素が所定数以上含まれているか否かに応じて、変換テーブルを切り換えるか否かを決定しているが、変換テーブルを切り換えるか否かの判定基準はこの例に限られるものではない。上述したようにこの判定基準は、色ムラを生じやすい画像データか否かを判定できればよく、例えば、画像データに黒以外の画素（カラーデータ）が所定数含まれているか否かを判断基準としてもよい。黒データのみの場合は往復の色ムラは発生し得ず、カラーデータを含む場合にのみ往復の色ムラは発生する。そこで、１バンドに対応した画像データ中に黒以外のデータの画素が含まれるか否かを判断基準とすることも有効である。これは、例えば、写真と文字とが混在する文書などでは有効である。
【００８１】
また、一般にインクジェット方式の記録装置で走査方向による色の違いが顕著となるのは、インクの使用量が多い場合であるので、変換テーブルを切り換えるか否かの判定基準を、インクの使用量が所定以上の画素が所定数以上含まれているか否かとしてもよい。ここで、所定数は１以上の整数である。
【００８２】
更に、上記実施形態では、走査方向に応じて切り換える変換テーブルとして、ＲＧＢで表現されるデータから使用インクに対応したＣＭＹＫで表現されるデータへの色変換処理を行う変換テーブルを例に挙げているが、走査方向に応じて切り換える変換テーブルは、この種類の変換テーブルに限定されるものではない。図２に示したような画像処理で使用される変換テーブルの少なくとも１つであればよく、例えば、前段処理Ｊ０００２で使用される変換テーブルを切り換えるようにしてもよい。
【００８３】
また、上記の実施形態では、往復の色ムラを低減させるために、記録画素の色（色相、明度、彩度の少なくとも１つ）を変えることのできる変換テーブルを用いる例について説明したが、往復の色ムラを低減させる処理としては変換テーブルの変更に限られるものではない。要は、往復の色ムラを低減させるためには、記録画素の色（色相、明度、彩度の少なくとも１つ）を変えることができればよいわけである。そして、記録画素の色（色相、明度、彩度の少なくとも１つ）を変えためには、ハーフトーン処理の手法を変えたり、ドット配置パターンのドット配置の仕方を変えたりしてもよい。従って、走査方向に応じて、ハーフトーン処理の仕方やドット配置パターンのドット配置の仕方を変えることも有効である。勿論、このような変更を行うのは、色ムラが生じやすい画像データの場合に限られる。
【００８４】
また、上記の実施形態では、ＣＭＹＫの４種類のインクを用いる形態について説明したが、用いるインクの種類がこれに限定されないことはいうまでもない。例えば、ＣＭＹＫの４種類にＬＣ（ライトシアン）、ＬＭ（ライトマゼンタ）のインクを加えた６種類のインクを使用する形態であってもよい。この場合、後段処理で使用される変換テーブルは、ＲＧＢで表現されるデータを、上記６種類のインクに対応した色分解データに変換する。
【００８５】
加えて、上記の実施形態では、図２で説明した通り、ホスト機器内（プリンタドライバ）で後段処理Ｊ０００３、γ補正処理Ｊ０００４、ハーフトーン処理Ｊ０００５、記録データ作成処理Ｊ０００６を行い、インクジェット記録装置側でドットパターン配置処理Ｊ０００７を行う形態であったが、これら処理Ｊ０００３〜Ｊ０００７はホスト機器とインクジェット記録装置のいずれで行っても良い。例えば、ホスト機器で前段処理Ｊ０００２まで行い、後段処理Ｊ０００３以降の画像処理を記録装置側で行う場合には、後段処理で用いる変換テーブルを走査方向に応じて切り換える処理を記録装置側で実行するようになる。
【００８６】
このように、本発明は、上記のように複数の機器から構成される記録システムに適用しても良いし、また、例えば、記憶媒体を挿入可能なスロットや、デジタルカメラ等の画像入力器を接続可能なインタフェースを有し、ホスト機器を接続せずに記憶媒体や画像入力機器に格納された画像データを直接記録することが可能な、いわゆるダイレクトプリンタのようなインクジェット記録装置に適用しても良い。ホスト機器を接続しないダイレクトプリンタの場合、前段処理Ｊ０００２〜ドットパターン配置処理Ｊ０００７を含む画像処理は全てインクジェット記録装置で行われる。
【００８７】
なお、本発明は、前述した実施形態の機能を実現するソフトウェアのプログラム（本実施形態では図６に示すフローチャートに対応したプリンタドライバ）を、システム或いは装置に直接或いは遠隔から供給し、そのシステム或いは装置のコンピュータが該供給されたプログラムコードを読み出して実行することによっても達成される場合を含む。その場合、プログラムの機能を有していれば、形態は、プログラムである必要はない。
【００８８】
従って、本発明の機能処理をコンピュータで実現するために、該コンピュータにインストールされるプログラムコード自体も本発明を実現するものである。つまり、本発明のクレームでは、本発明の機能処理を実現するためのコンピュータプログラム自体も含まれる。
【００８９】
その場合、プログラムの機能を有していれば、オブジェクトコード、インタプリタにより実行されるプログラム、ＯＳに供給するスクリプトデータ等、プログラムの形態を問わない。
【００９０】
プログラムを供給するための記録媒体としては、例えば、フレキシブルディスク、ハードディスク、光ディスク、光磁気ディスク、ＭＯ、ＣＤ−ＲＯＭ、ＣＤ−Ｒ、ＣＤ−ＲＷ、磁気テープ、不揮発性のメモリカード、ＲＯＭ、ＤＶＤ（ＤＶＤ−ＲＯＭ，ＤＶＤ−Ｒ）などがある。
【００９１】
その他、プログラムの供給方法としては、クライアントコンピュータのブラウザを用いてインターネットのホームページに接続し、該ホームページから本発明のコンピュータプログラムそのもの、もしくは圧縮され自動インストール機能を含むファイルをハードディスク等の記録媒体にダウンロードすることによっても供給できる。また、本発明のプログラムを構成するプログラムコードを複数のファイルに分割し、それぞれのファイルを異なるホームページからダウンロードすることによっても実現可能である。つまり、本発明の機能処理をコンピュータで実現するためのプログラムファイルを複数のユーザに対してダウンロードさせるＷＷＷサーバも、本発明の範囲に含まれるものである。
【００９２】
また、本発明のプログラムを暗号化してＣＤ−ＲＯＭ等の記憶媒体に格納してユーザに配布し、所定の条件をクリアしたユーザに対し、インターネットを介してホームページから暗号化を解く鍵情報をダウンロードさせ、その鍵情報を使用することにより暗号化されたプログラムを実行してコンピュータにインストールさせて実現することも可能である。
【００９３】
また、コンピュータが、読み出したプログラムを実行することによって、前述した実施形態の機能が実現される他、そのプログラムの指示に基づき、コンピュータ上で稼動しているＯＳなどが、実際の処理の一部または全部を行ない、その処理によっても前述した実施形態の機能が実現され得る。
【００９４】
さらに、記録媒体から読み出されたプログラムが、コンピュータに挿入された機能拡張ボードやコンピュータに接続された機能拡張ユニットに備わるメモリに書き込まれた後、そのプログラムの指示に基づき、その機能拡張ボードや機能拡張ユニットに備わるＣＰＵなどが実際の処理の一部または全部を行ない、その処理によっても前述した実施形態の機能が実現される。
【図面の簡単な説明】
【００９５】
【図１】本発明に係る記録システムの実施形態の概略構成を示すブロック図である。
【図２】実施形態の記録システムにおける画像処理の流れを説明するための図である。
【図３】記録ヘッドのノズル列の配置を示す図である。
【図４】記録媒体に記録を行なう際の記録ヘッドによる走査の例を示す図である。
【図５】走査方向で色味に差が出る場合の色再現範囲の例を示すグラフである。
【図６】実施形態における記録データ生成処理のフローチャートである。
【図７】本発明に係るインクジェット記録装置の構成の概要を示す外観斜視図である。
【図８】階調レベル０〜２に対するドット配置パターンを示す図である。
【図１】
2005342962.tif 000003
【図２】
2005342962.tif 000004
【図３】
2005342962.tif 000005
【図４】
2005342962.tif 000006
【図５】
2005342962.tif 000007
【図６】
2005342962.tif 000008
【図７】
2005342962.tif 000009
【図８】
2005342962.tif 000010